(57)【要約】【課題】ＥＰＧデータがいかなる種類であっても、ＥＰＧデータの中から所望の番組を同定する。【解決手段】番組同定部１０８は、予約情報に所望の番組の番組ＩＤが含まれている場合、最新のＥＰＧデータの中から、所望の番組と番組ＩＤが一致する番組を検索し、検索した番組を所望の番組として同定する。一方、番組同定部１０８は、予約情報に所望の番組の番組ＩＤが含まれていない場合、最新のＥＰＧデータの中から、所望の番組と放送局、放送日（曜日）、ジャンルが一致し、かつ所望の番組と放送時間帯が近い番組を検索対象に絞り込む。そして、絞り込まれた検索対象番組の中から、タイトルの類似度が最も高い番組を検索し、検索した番組を所望の番組として同定する。【選択図】図１
2005102059.tif 000002
【特許請求の範囲】
【請求項１】
電子番組表データの中から録画予約または視聴予約されている所望の番組を同定する番組同定装置において、
前記所望の番組の予約内容を示す情報として、前記所望の番組のタイトルを少なくとも含む予約情報を格納する予約情報格納手段と、
前記予約情報に前記所望の番組を識別するための識別番号が含まれていない場合、もしくは、前記予約情報に前記識別番号が含まれているが当該識別番号に合致する番組が前記電子番組表データに含まれていない場合、前記電子番組表データの中から、前記所望の番組に対してタイトルの類似度が最も高い番組を検索し、検索した番組を前記所望の番組として同定する番組同定手段とを有する、番組同定装置。
【請求項２】
前記予約情報格納手段は、前記予約情報として前記所望の番組の放送局、放送日、放送時間帯の情報を格納し、
前記番組同定手段は、前記予約情報に前記所望の番組の前記識別番号が含まれていない場合、もしくは、前記予約情報に前記識別番号が含まれているが当該識別番号に合致する番組が前記電子番組表データに含まれていない場合、前記電子番組表データの中から、前記所望の番組と放送局、放送日が一致し、かつ前記所望の番組と放送時間帯が近い番組を検索対象に絞り込み、絞り込まれた検索対象番組の中から前記所望の番組を同定する、請求項１に記載の番組同定装置。
【請求項３】
前記予約情報格納手段は、前記予約情報として前記所望の番組の放送局、放送日、放送時間帯、ジャンルの情報を格納し、
前記番組同定手段は、前記予約情報に前記所望の番組の前記識別番号が含まれていない場合、もしくは、前記予約情報に前記識別番号が含まれているが当該識別番号に合致する番組が前記電子番組表データに含まれていない場合、前記電子番組表データの中から、前記所望の番組と放送局、放送日、ジャンルが一致し、かつ前記所望の番組と放送時間帯が近い番組を検索対象に絞り込み、絞り込まれた検索対象番組の中から前記所望の番組を同定する、請求項１に記載の番組同定装置。
【請求項４】
前記番組同定手段は、前記予約情報に前記所望の番組の前記識別番号が含まれていない場合、もしくは、前記予約情報に前記識別番号が含まれているが当該識別番号に合致する番組が前記電子番組表データに含まれていない場合、前記電子番組表データの中から同定された番組のタイトルと前記所望の番組のタイトルとの類似度が予め設定した閾値以上である場合に限り、同定された番組の前記識別番号を、前記所望の番組の前記予約情報として前記予約情報格納手段に追加格納する、請求項１から３のいずれか１項に記載の番組同定装置。
【請求項５】
前記番組同定手段は、前記予約情報に前記所望の番組の前記識別番号が含まれている場合、前記電子番組表データの中から、前記所望の番組と前記識別番号が一致する番組を検索し、検索した番組を前記所望の番組として同定する、請求項４に記載の番組同定装置。
【請求項６】
前記予約情報に前記所望の番組の前記識別番号が含まれていない場合、もしくは、前記予約情報に前記識別番号が含まれているが当該識別番号に合致する番組が前記電子番組表データに含まれていない場合、前記番組同定手段により前記電子番組表データの中から前記検索対象番組を絞り込む際に当該電子番組表データに含まれていた番組のそれぞれの前記識別番号およびタイトルの情報を格納する学習対象番組情報格納手段と、
前記予約情報に前記所望の番組の前記識別番号が含まれていない場合、もしくは、前記予約情報に前記識別番号が含まれているが当該識別番号に合致する番組が前記電子番組表データに含まれていない場合、前記番組同定手段により前記電子番組表データの中から同定された番組のタイトルと前記所望の番組のタイトルとの類似度が予め設定した閾値以上である場合に限り、同定された番組と前記識別番号が一致する番組を前記学習対象番組情報格納手段の中から検索し、検索した番組のタイトルおよび前記番組同定手段により同定された番組の前記識別番号を、前記所望の番組の前記予約情報として前記予約情報格納手段に追加格納する番組学習手段とをさらに有する、請求項２または３に記載の番組同定装置。
【請求項７】
前記番組同定手段は、前記予約情報に前記所望の番組の前記識別番号が含まれている場合、前記電子番組表データの中から、前記所望の番組と前記識別番号が一致する番組を検索し、検索した番組を前記所望の番組として同定し、
前記番組学習手段は、前記予約情報に前記所望の番組の前記識別番号が含まれている場合、前記番組同定手段により同定された番組のタイトルが、前記所望の番組のタイトルとして前記予約情報に含まれているかを確認し、含まれていない場合は、前記番組同定手段により同定された番組のタイトルを、前記所望の番組の前記予約情報として前記予約情報格納手段に追加格納する、請求項６に記載の番組同定装置。
【請求項８】
電子番組表データの中から録画予約または視聴予約されている所望の番組を同定する番組同定装置による番組同定方法において、
前記所望の番組の予約内容を示す情報として、前記所望の番組のタイトルを少なくとも含む予約情報を前記番組同定装置に格納する第１のステップと、
前記予約情報に前記所望の番組を識別するための識別番号が含まれていない場合、もしくは、前記予約情報に前記識別番号が含まれているが当該識別番号に合致する番組が前記電子番組表データに含まれていない場合、前記電子番組表データの中から、前記所望の番組に対してタイトルの類似度が最も高い番組を検索し、検索した番組を前記所望の番組として同定する第２のステップとを有する、番組同定方法。
【請求項９】
前記第１のステップでは、前記予約情報として前記所望の番組の放送局、放送日、放送時間帯の情報を前記番組同定装置に格納し、
前記第２のステップでは、前記電子番組表データの中から、前記所望の番組と放送局、放送日が一致し、かつ前記所望の番組と放送時間帯が近い番組を検索対象に絞り込み、絞り込まれた検索対象番組の中から前記所望の番組を同定する、請求項８に記載の番組同定方法。
【請求項１０】
前記第１のステップでは、前記予約情報として前記所望の番組の放送局、放送日、放送時間帯、ジャンルの情報を前記番組同定装置に格納し、
前記第２のステップでは、前記電子番組表データの中から、前記所望の番組と放送局、放送日、ジャンルが一致し、かつ前記所望の番組と放送時間帯が近い番組を検索対象に絞り込み、絞り込まれた検索対象番組の中から前記所望の番組を同定する、請求項８に記載の番組同定方法。
【請求項１１】
前記第２のステップにて前記電子番組表データの中から同定された番組のタイトルと前記所望の番組のタイトルとの類似度が予め設定した閾値以上である場合に限り、同定された番組の前記識別番号を、前記所望の番組の前記予約情報として前記番組同定装置に追加格納する第３のステップをさらに有する、請求項８から１０のいずれか１項に記載の番組同定方法。
【請求項１２】
前記予約情報に前記所望の番組の前記識別番号が含まれている場合、前記電子番組表データの中から、前記所望の番組と前記識別番号が一致する番組を検索し、検索した番組を前記所望の番組として同定する第４のステップをさらに有する、請求項１１に記載の番組同定方法。
【請求項１３】
前記第２のステップにて前記電子番組表データの中から前記検索対象番組を絞り込む際に当該電子番組表データに含まれていた番組のそれぞれの前記識別番号およびタイトルの情報を前記番組同定装置に格納する第３のステップと、
前記第２のステップにて前記電子番組表データの中から同定された番組のタイトルと前記所望の番組のタイトルとの類似度が予め設定した閾値以上である場合に限り、同定された番組と前記識別番号が一致する番組を、前記第３のステップにて前記番組同定装置に格納された番組の中から検索し、検索した番組のタイトルおよび前記第２のステップにて同定された番組の前記識別番号を、前記所望の番組の前記予約情報として前記番組同定装置に追加格納する第４のステップとをさらに有する、請求項９または１０に記載の番組同定方法。
【請求項１４】
前記予約情報に前記所望の番組の前記識別番号が含まれている場合、前記電子番組表データの中から、前記所望の番組と前記識別番号が一致する番組を検索し、検索した番組を前記所望の番組として同定する第５のステップと、
前記第５のステップにて前記電子番組表データの中から同定された番組のタイトルが、前記所望の番組のタイトルとして前記予約情報に含まれているかを確認し、含まれていない場合は、前記第５のステップにて同定された番組のタイトルを、前記所望の番組の前記予約情報として前記番組同定装置に追加格納する第６のステップとをさらに有する、請求項１３に記載の番組同定方法。
【請求項１５】
電子番組表データの中から録画予約または視聴予約されている所望の番組を同定する番組同定装置に実行させるプログラムにおいて、
前記所望の番組の予約内容を示す情報として、前記所望の番組のタイトルを少なくとも含む予約情報を前記番組同定装置に格納する第１のステップと、
前記予約情報に前記所望の番組を識別するための識別番号が含まれていない場合、もしくは、前記予約情報に前記識別番号が含まれているが当該識別番号に合致する番組が前記電子番組表データに含まれていない場合、前記電子番組表データの中から、前記所望の番組に対してタイトルの類似度が最も高い番組を検索し、検索した番組を前記所望の番組として同定する第２のステップとを有する、プログラム。
【請求項１６】
前記第１のステップでは、前記予約情報として前記所望の番組の放送局、放送日、放送時間帯の情報を前記番組同定装置に格納し、
前記第２のステップでは、前記電子番組表データの中から、前記所望の番組と放送局、放送日が一致し、かつ前記所望の番組と放送時間帯が近い番組を検索対象に絞り込み、絞り込まれた検索対象番組の中から前記所望の番組を同定する、請求項１５に記載のプログラム。
【請求項１７】
前記第１のステップでは、前記予約情報として前記所望の番組の放送局、放送日、放送時間帯、ジャンルの情報を前記番組同定装置に格納し、
前記第２のステップでは、前記電子番組表データの中から、前記所望の番組と放送局、放送日、ジャンルが一致し、かつ前記所望の番組と放送時間帯が近い番組を検索対象に絞り込み、絞り込まれた検索対象番組の中から前記所望の番組を同定する、請求項１５に記載のプログラム。
【請求項１８】
前記第２のステップにて前記電子番組表データの中から同定された番組のタイトルと前記所望の番組のタイトルとの類似度が予め設定した閾値以上である場合に限り、同定された番組の前記識別番号を、前記所望の番組の前記予約情報として前記番組同定装置に追加格納する第３のステップをさらに有する、請求項１５から１７のいずれか１項に記載のプログラム。
【請求項１９】
前記予約情報に前記所望の番組の前記識別番号が含まれている場合、前記電子番組表データの中から、前記所望の番組と前記識別番号が一致する番組を検索し、検索した番組を前記所望の番組として同定する第４のステップをさらに有する、請求項１８に記載のプログラム。
【請求項２０】
前記第２のステップにて前記電子番組表データの中から前記検索対象番組を絞り込む際に当該電子番組表データに含まれていた番組のそれぞれの前記識別番号およびタイトルの情報を前記番組同定装置に格納する第３のステップと、
前記第２のステップにて前記電子番組表データの中から同定された番組のタイトルと前記所望の番組のタイトルとの類似度が予め設定した閾値以上である場合に限り、同定された番組と前記識別番号が一致する番組を、前記第３のステップにて前記番組同定装置に格納された番組の中から検索し、検索した番組のタイトルおよび前記第２のステップにて同定された番組の前記識別番号を、前記所望の番組の前記予約情報として前記番組同定装置に追加格納する第４のステップとをさらに有する、請求項１６または１７に記載のプログラム。
【請求項２１】
前記予約情報に前記所望の番組の前記識別番号が含まれている場合、前記電子番組表データの中から、前記所望の番組と前記識別番号が一致する番組を検索し、検索した番組を前記所望の番組として同定する第５のステップと、
前記第５のステップにて前記電子番組表データの中から同定された番組のタイトルが、前記所望の番組のタイトルとして前記予約情報に含まれているかを確認し、含まれていない場合は、前記第５のステップにて同定された番組のタイトルを、前記所望の番組の前記予約情報として前記番組同定装置に追加格納する第６のステップとをさらに有する、請求項２０に記載のプログラム。
【発明の詳細な説明】
【技術分野】
【０００１】
本発明は、電子番組表（ＥＰＧ：Ｅｌｅｃｔｒｏｎｉｃ  Ｐｒｏｇｒａｍ  Ｇｕｉｄｅ）データ（以下、ＥＰＧデータと称する）の中から、録画予約または視聴予約されている所望の番組を同定する番組同定装置、番組同定方法、プログラムに関する。
【０００２】
なお、本明細書では、番組同定とは、ＥＰＧデータの中から所望の番組を選択した後に、ＥＰＧデータが最新データに更新された場合に、最新のＥＰＧデータの中から、所望の番組と同一だとされる番組を検索し確定することを言う。
【背景技術】
【０００３】
従来、ＴＶ放送される番組を録画する録画装置では、ある番組を録画対象として録画予約が設定された場合、録画対象の番組の放送時刻が変更されてしまうと、録画対象の番組ではなく別の番組が録画されてしまうなど、録画に失敗してしまうことがあった。
【０００４】
そこで、ＥＰＧデータを利用可能な録画装置において、最新のＥＰＧデータの中から録画対象の番組を同定することができれば、同定した番組を録画するよう予約内容を修正することにより、録画の失敗を回避することができると考えられる。
【０００５】
近年、ＥＰＧデータの中から所望の番組を同定する技術が多数開示されている。例えば、特許文献１においては、ＥＰＧデータに付加され、番組ごとに設定されている番組ＩＤを利用して、ＥＰＧデータの中から番組を同定することが行われている。
【０００６】
さらに、ＥＰＧデータの中から、一定期間ごとに（毎日、毎週の特定曜日など）連続して放送されるニュースやドラマなどの連続番組を同定する技術も多数開示されている。例えば、特許文献２においては、連続番組のタイトルを利用して連続番組を同定することが行われている。また、特許文献３においては、ＥＰＧデータに付加され、連続番組ごとに設定されている連続番組ＩＤを利用して番組を同定することが行われている。
【０００７】
なお、本明細書で用いる番組ＩＤとは、個々の番組を識別するために設定されているＩＤであり、連続番組であっても各回ごとに番組ＩＤは異なっている。一方、連続番組ＩＤとは、連続番組自体を識別するために設定されているＩＤであり、連続番組の各回で連続番組ＩＤは共通となっている。
【特許文献１】特開２０００−２３６５０１号公報
【特許文献２】特開２００１−０３６８４６号公報
【特許文献３】特開２００３−０８７６７５号公報
【発明の開示】
【発明が解決しようとする課題】
【０００８】
ところで、現在は、複数種類のＥＰＧデータが併存している状況にあり、その中でどのＥＰＧデータを採択するかは録画装置を製造・販売するメーカに委ねられている。また、メーカで複数のＥＰＧデータを採択した場合に、その中でどのＥＰＧデータを利用するかはユーザに委ねられている。
【０００９】
しかしながら、ＥＰＧデータの種類によっては、番組ＩＤが元々付加されていない場合や、番組ＩＤが付加されていたとしてもその番組ＩＤが何らかの事情で欠落してしまう場合がある。また、連続番組は各回ごとに番組ＩＤが異なるため、連続番組を連続して録画する連続録画を行うに際し、その連続番組を最初に録画した後では、以降の連続番組の番組ＩＤがわからない場合がある。さらに、連続番組ＩＤが元々付加されていない場合もある。このような場合、特許文献１，３に開示されているように、番組ＩＤや連続番組ＩＤを利用したとしても、ＥＰＧデータの中から録画対象の番組を同定することができない。
【００１０】
したがって、上記のような場合には、特許文献２に開示された技術を適用し、番組のタイトルを利用して同定処理を行うことが有効であると考えられる。
【００１１】
しかしながら、ＥＰＧデータの種類によっては、ＥＰＧデータが最新データに更新されると、番組のタイトルが変更されてしまう場合がある。例えば、番組のタイトルが、カタカナ表記からアルファベット表記あるいは略称表記に変更されてしまう場合がある。このような場合、特許文献２に開示されているように、番組のタイトルを利用したとしても、そのタイトルの文字列を単純に比較するだけではＥＰＧデータの中から録画対象の番組を同定することができない。
【００１２】
そこで、本発明の目的は、ＥＰＧデータがいかなる種類であっても、ＥＰＧデータの中から、録画予約等されている所望の番組を同定することができる番組同定装置、番組同定方法、プログラムを提供することにある。
【課題を解決するための手段】
【００１３】
上記目的を達成するために本発明の番組同定装置は、
電子番組表データの中から録画予約または視聴予約されている所望の番組を同定する番組同定装置において、前記所望の番組の予約内容を示す情報として、前記所望の番組のタイトルを少なくとも含む予約情報を格納する予約情報格納手段と、前記予約情報に前記所望の番組を識別するための識別番号が含まれていない場合、もしくは、前記予約情報に前記識別番号が含まれているが当該識別番号に合致する番組が前記電子番組表データに含まれていない場合、前記電子番組表データの中から、前記所望の番組に対してタイトルの類似度が最も高い番組を検索し、検索した番組を前記所望の番組として同定する番組同定手段とを有することを特徴とする。
【００１４】
この構成によれば、所望の番組の識別番号がわからない場合にも、電子番組表データの中から、所望の番組に対してタイトルの類似度が最も高い番組を検索することで、所望の番組を同定することができる。
【００１５】
また、前記予約情報格納手段は、前記予約情報として前記所望の番組の放送局、放送日、放送時間帯の情報を格納し、前記番組同定手段は、前記予約情報に前記所望の番組の前記識別番号が含まれていない場合、もしくは、前記予約情報に前記識別番号が含まれているが当該識別番号に合致する番組が前記電子番組表データに含まれていない場合、前記電子番組表データの中から、前記所望の番組と放送局、放送日が一致し、かつ前記所望の番組と放送時間帯が近い番組を検索対象に絞り込み、絞り込まれた検索対象番組の中から前記所望の番組を同定することを特徴とする。または、前記予約情報格納手段は、前記予約情報として前記所望の番組の放送局、放送日、放送時間帯、ジャンルの情報を格納し、前記番組同定手段は、前記予約情報に前記所望の番組の前記識別番号が含まれていない場合、もしくは、前記予約情報に前記識別番号が含まれているが当該識別番号に合致する番組が前記電子番組表データに含まれていない場合、前記電子番組表データの中から、前記所望の番組と放送局、放送日、ジャンルが一致し、かつ前記所望の番組と放送時間帯が近い番組を検索対象に絞り込み、絞り込まれた検索対象番組の中から前記所望の番組を同定することを特徴とする。
【００１６】
この構成によれば、電子番組表データの中から、所望の番組の予約内容に基づき検索対象番組の絞り込みを行った上で、所望の番組の同定処理を行うため、タイトルが類似する別の番組を誤って同定しまう可能性を低減することができる。
【００１７】
さらに、前記番組同定手段は、前記予約情報に前記所望の番組の前記識別番号が含まれていない場合、もしくは、前記予約情報に前記識別番号が含まれているが当該識別番号に合致する番組が前記電子番組表データに含まれていない場合、前記電子番組表データの中から同定された番組のタイトルと前記所望の番組のタイトルとの類似度が予め設定した閾値以上である場合に限り、同定された番組の前記識別番号を、前記所望の番組の前記予約情報として前記予約情報格納手段に追加格納することとしても良い。また、前記番組同定手段は、前記予約情報に前記所望の番組の前記識別番号が含まれている場合、前記電子番組表データの中から、前記所望の番組と前記識別番号が一致する番組を検索し、検索した番組を前記所望の番組として同定することとしても良い。
【００１８】
あるいは、前記予約情報に前記所望の番組の前記識別番号が含まれていない場合、もしくは、前記予約情報に前記識別番号が含まれているが当該識別番号に合致する番組が前記電子番組表データに含まれていない場合、前記番組同定手段により前記電子番組表データの中から前記検索対象番組を絞り込む際に当該電子番組表データに含まれていた番組のそれぞれの前記識別番号およびタイトルの情報を格納する学習対象番組情報格納手段と、前記予約情報に前記所望の番組の前記識別番号が含まれていない場合、もしくは、前記予約情報に前記識別番号が含まれているが当該識別番号に合致する番組が前記電子番組表データに含まれていない場合、前記番組同定手段により前記電子番組表データの中から同定された番組のタイトルと前記所望の番組のタイトルとの類似度が予め設定した閾値以上である場合に限り、同定された番組と前記識別番号が一致する番組を前記学習対象番組情報格納手段の中から検索し、検索した番組のタイトルおよび前記番組同定手段により同定された番組の前記識別番号を、前記所望の番組の前記予約情報として前記予約情報格納手段に追加格納する番組学習手段とをさらに有することとしても良い。また、前記番組同定手段は、前記予約情報に前記所望の番組の前記識別番号が含まれている場合、前記電子番組表データの中から、前記所望の番組と前記識別番号が一致する番組を検索し、検索した番組を前記所望の番組として同定し、前記番組学習手段は、前記予約情報に前記所望の番組の前記識別番号が含まれている場合、前記番組同定手段により同定された番組のタイトルが、前記所望の番組のタイトルとして前記予約情報に含まれているかを確認し、含まれていない場合は、前記番組同定手段により同定された番組のタイトルを、前記所望の番組の前記予約情報として前記予約情報格納手段に追加格納することとしても良い。
【００１９】
この構成によれば、所望の番組を表すタイトルとして、予約情報に含まれるタイトルとは別のタイトルを学習し、予約情報に追加しているため、所望の番組のタイトルを利用して同定処理を行う場合に、電子番組表データ内で所望の番組のタイトルが大幅に変更されていたとしても、所望の番組を同定できる可能性が高くなる。
【発明の効果】
【００２０】
以上説明したように本発明は、予約情報に所望の識別番号が含まれていない場合、もしくは、予約情報に識別番号が含まれているが当該識別番号に合致する番組が電子番組表データに含まれていない場合は、電子番組表データの中から、所望の番組とタイトルが最も類似している番組を検索することで所望の番組を同定し、また、予約情報に所望の識別番号が含まれている場合は、電子番組表データの中から、所望の番組と識別番号が一致している番組を検索することで所望の番組を同定する構成となっている。
【００２１】
それにより、識別番号が元々付加されていない電子番組表データや、識別番号が何らかの事情で欠落してしまう電子番組表データを採用したとしても、所望の番組のタイトルを利用して、所望の番組を同定することができる。
【００２２】
また、電子番組表データの更新時に番組のタイトルが変更されてしまう可能性のある電子番組表データを採用したとしても、所望の番組とタイトルが最も類似している番組を、所望の番組として同定することができる。
【００２３】
したがって、例えば、連続番組を連続して録画する連続録画予約が設定されている場合、その連続番組を最初に録画するまでの間は、録画予約設定時に電子番組表データ等から識別番号を得ており識別番号がわかっている状態であるため、識別番号を利用して同定処理を行えば良い。一方、連続番組を最初に録画した後では、以降の連続番組は別の識別番号となり、識別番号がわからない状態であるため、タイトルを利用して同定処理を行えば良い。
【００２４】
なお、電子番組表データの中から、所望の番組の予約内容に基づき検索対象番組の絞り込みを行い、絞り込まれた検索対象番組の中から所望の番組の同定処理を行う構成とした場合には、タイトルが類似する別の番組を誤って同定しまう可能性を低減することができる。
【００２５】
さらに、電子番組表データの中から同定した番組の識別番号を用いて、所望の番組を表すタイトルとして、予約情報に含まれるタイトルとは別のタイトルを学習し、予約情報に追加する構成とした場合には、所望の番組のタイトルを利用して同定処理を行う際に、電子番組表データ内で所望の番組のタイトルが大幅に変更されていたとしても、所望の番組を同定できる可能性が高くなる。
【発明を実施するための最良の形態】
【００２６】
以下、本発明を実施するための形態について図面を参照して説明する。
【００２７】
（第１の実施形態）
図１は、本発明の第１の実施形態による番組同定装置の構成を示す図である。
【００２８】
図１に示すように本実施形態による番組同定装置は、チューナ１０１と、ＥＰＧデータ取得部１０２と、ＥＰＧデータ格納部１０３と、操作部１０４と、録画予約部１０５と、予約情報格納部１０６と、番組録画部１０７と、番組同定部１０８とを有している。
【００２９】
チューナ１０１は、不図示のアンテナ経由で、番組やＥＰＧデータを含む、アナログ放送またはデジタル放送の放送波を受信する。
【００３０】
ＥＰＧデータ取得部１０２は、チューナ１０１にて受信された放送波に含まれるＥＰＧデータを抽出し、ＥＰＧデータ格納部１０３に格納する。なお、ＥＰＧデータ取得部１０２は、ＥＰＧデータが最新データに更新されたことを検知した時点で上記動作を行う等により、ＥＰＧデータ格納部１０３に格納されるＥＰＧデータを常に最新データに更新するものとする。
【００３１】
録画予約部１０５は、ユーザにより操作部１０４を介して録画予約された録画対象の番組の予約内容を示す予約情報をＥＰＧデータ格納部１０３内のＥＰＧデータから取得し、予約情報格納部１０６に格納する。なお、予約情報には、録画対象の番組のタイトル、ジャンル、放送日（曜日）、放送時間帯、放送局、番組ＩＤ等の情報が含まれている。
【００３２】
さらに、録画予約部１０５は、予約情報格納部１０６内の録画対象の番組の予約情報に基づき、番組録画部１０７に対し録画対象の番組の予約設定を行う。なお、録画予約部１０５は、番組録画部１０７に指示した番組の録画が終了した場合、その番組の番組ＩＤについては予約情報格納部１０６内の予約情報から削除する。これは、番組ＩＤが個々の番組を識別するために設定されているＩＤであり、連続番組であっても各回ごとに番組ＩＤは異なることから、予約情報として番組ＩＤを格納しておく必要がなくなるためである。
【００３３】
番組録画部１０７は、録画予約部１０５により設定された予約設定内容に基づき、チューナ１０１にて受信された放送波に含まれる録画対象の番組を、不図示の記録媒体に録画する。例えば、番組録画部１０７は、ＤＶＤ等の記録媒体にデジタル録画を行うこととしても良く、また、ＶＨＳに代表されるビデオテープ等の記録媒体にアナログ録画を行うこととしても良い。
【００３４】
番組同定部１０８は、予約情報格納部１０６内の録画対象の番組の番組ＩＤまたはタイトルを利用して、ＥＰＧデータ格納部１０３内のＥＰＧデータの中から録画対象の番組を同定する。そして、番組同定部１０８は、ＥＰＧデータの中から同定した番組のタイトル、ジャンル、放送日（曜日）、放送時間帯、放送局、番組ＩＤ等の情報を録画予約部１０５に通知し、その番組を録画するよう予約内容の修正を指示する。
【００３５】
なお、番組同定部１０８は、録画対象の番組の予約情報としてタイトルを利用して同定処理を行う際には、タイトルが類似する別番組を同定してしまうことを防止するため、同定処理を行う前に、ＥＰＧデータの中から検索対象番組の絞り込みを行い、絞り込まれた検索対象番組の中から録画対象の番組を同定する。
【００３６】
以下、図１に示した番組同定装置による番組同定方法について説明する。
【００３７】
本実施形態では、録画対象の番組の番組ＩＤがわかっている場合には、下記（１）の処理により、録画対象の番組ＩＤを利用して録画対象の番組を同定する。一方、録画対象の番組の番組ＩＤがわからない場合は、下記（２）の処理により、録画対象の番組のタイトルを利用して番組を同定する。なお、下記（２）の処理により、録画対象の番組を同定することができた場合には、その番組のＩＤをＥＰＧデータから取得することができるため、以降は、下記（１）の処理により同定処理を行う。
【００３８】
例えば、ある番組を１回だけ録画する録画予約が設定されている状況においてその番組を録画するまでの間や、連続番組を連続して録画する連続録画予約が設定されている状況においてその連続番組を最初に録画するまでの間は、録画予約設定時にＥＰＧデータから取得された番組ＩＤが予約情報に含まれているため、録画対象の番組の番組ＩＤがわかっている状態となっている。
【００３９】
これに対して、連続録画予約が設定されている状況において、連続番組を最初に録画した後では、以降の連続番組は別の番組ＩＤとなり、上述のように、録画予約部１０５により予約情報から番組ＩＤが削除されてしまうため、録画対象の番組の番組ＩＤがわからない状態となっている。なお、録画予約部１０５による番組ＩＤの削除が何らかの事情で実行されなかったとしても、当該番組ＩＤに合致する番組はＥＰＧデータに含まれていないため、録画対象の番組の番組ＩＤがわからない状態となっている。
（１）最初に、録画対象の番組の番組ＩＤがわかっている場合の処理について、図２を参照して説明する。ここでの前提条件として、予約情報格納部１０６には、録画予約設定時に録画予約部１０５によりＥＰＧデータ格納部１０３内のＥＰＧデータから取得された予約情報が格納されているものとする。また、ここでの番組ＩＤは、録画予約設定時にＥＰＧデータから取得した予約情報に含まれていた番組ＩＤであるものとする。
【００４０】
図２を参照すると、番組同定部１０８は、ＥＰＧデータ格納部１０３内のＥＰＧデータが最新データに更新されると、予約情報格納部１０６内の予約情報に含まれる録画対象の番組の番組ＩＤに基づいて、最新のＥＰＧデータの中から、録画対象の番組と番組ＩＤが一致する番組を検索し、検索した番組を録画対象の番組として同定する（ステップ２０１）。
【００４１】
その後、番組同定部１０８は、ステップ２０１で同定された番組のタイトル、ジャンル、放送日（曜日）、放送時間帯、放送局、番組ＩＤ等の情報を録画予約部１０５に通知し、その番組を録画するよう予約内容の修正を指示する（ステップ２０２）。
（２）次に、録画対象の番組の番組ＩＤがわからない場合の処理について、図３を参照して説明する。ここでの前提条件として、予約情報格納部１０６には、録画予約設定時に録画予約部１０５によりＥＰＧデータ格納部１０３内のＥＰＧデータから取得された予約情報が格納されているものとする。ただし、ここでは、録画予約設定時にＥＰＧデータから取得した予約情報に含まれていた番組ＩＤが削除されたか、あるいは、予約情報に番組ＩＤが含まれていたとしても、その番組ＩＤに合致する番組はＥＰＧデータに含まれていないものとする。
【００４２】
図３を参照すると、番組同定部１０８は、ＥＰＧデータ格納部１０３内のＥＰＧデータが最新データに更新されると、予約情報格納部１０６内の予約情報に含まれる録画対象の番組の放送局、放送日（曜日）、ジャンル、放送時間帯の情報に基づいて、最新のＥＰＧデータの中から、録画対象の番組と放送局、放送日（曜日）、ジャンルが一致し、かつ録画対象の番組と放送時間帯が近い番組を検索対象に絞り込む（ステップ３０１）。これにより、次に行われる録画対象の番組の同定処理において、タイトルが類似する別の番組が誤検索されてしまう可能性が低減される。
【００４３】
次に、番組同定部１０８は、ステップ３０１で絞り込まれた検索対象番組のそれぞれについて、録画予約設定時の録画対象の番組に対するタイトルの類似度を算出する。なお、録画対象の番組に対するタイトルの類似度の算出に際しては、例えば、検索対象の番組のタイトルに一致する文字と文字列が多いほど類似度を高く算出し、逆に、検索対象の番組のタイトルに含まれていない文字と文字列が多いほど類似度を低く算出する。
【００４４】
次に、番組同定部１０８は、上述の類似度の算出結果に基づいて、ステップ３０１で絞り込まれた検索対象番組の中から、タイトルの類似度が最も高い番組を検索し、検索した番組を録画対象の番組として同定する（ステップ３０２）。
【００４５】
次に、番組同定部１０８は、ステップ３０２で同定された番組のタイトル、ジャンル、放送日（曜日）、放送時間帯、放送局、番組ＩＤ等の情報を録画予約部１０５に通知し、その番組を録画するよう予約内容の修正を指示する（ステップ３０３）。
【００４６】
なお、番組同定部１０８は、ステップ３０２で同定された番組のタイトルと録画対象の番組のタイトルとの類似度が予め設定された閾値以上でない場合、予約内容の修正を指示しないこととしても良い。
【００４７】
その後、番組同定部１０８は、ステップ３０２で同定された番組のタイトルと録画対象の番組のタイトルとの類似度が予め設定された閾値以上である場合に限り、同定された番組の番組ＩＤを、予約情報格納部１０６内の予約情報に追加する（ステップ３０４）。
【００４８】
ここで、図３の処理について、具体例を挙げて図４を参照して説明する。ここでは、録画対象の番組の録画予約設定時には、放送局が「Ｘ放送局」、放送日（曜日）が「日曜日」、放送時間帯が「２０：００〜２０：４５」、ジャンルが「趣味」、タイトルが「趣味Ａ」として予約設定がなされ、これらの予約情報が予約情報格納部１０６に格納されているものとする。
【００４９】
図４を参照すると、まず、番組同定部１０８は、最新のＥＰＧデータの中から、放送局「Ｘ放送局」、放送日（曜日）「日曜日」、ジャンル「趣味」が一致し、かつ、放送時間帯「２０：００〜２０：４５」の前後Ｎ時間以内に放送される番組として、タイトルがそれぞれ「趣味Ａ」「趣味ＡＢＣ」という２つの番組を検索対象に絞り込む。
【００５０】
次に、番組同定部１０８は、タイトルがそれぞれ「趣味Ａ」「趣味ＡＢＣ」という２つの番組について、録画予約設定時のタイトル「趣味Ａ」に対する類似度を算出する。
【００５１】
そして、番組同定部１０８は、「趣味Ａ」「趣味ＡＢＣ」という２つの番組についての上述の類似度の算出結果に基づいて、これら２つの番組の中から、上述の類似度が最も高い番組として、タイトルが「趣味Ａ」である番組を録画対象の番組として同定する。
【００５２】
その後、番組同定部１０８は、上記で同定された番組のタイトル「趣味Ａ」の類似度が予め設定された閾値以上であれば、その番組の番組ＩＤを、予約情報格納部１０６内の予約情報に追加する。それにより、以降、録画対象の番組を番組ＩＤを利用して同定することができるようになる。
【００５３】
（第２の実施形態）
図５は、本発明の第２の実施形態による番組同定装置の構成を示す図である。
【００５４】
本実施形態では、第１実施形態と同様の同定処理に加えて、その同定処理の結果に基づいて、録画対象の番組を表すタイトルとして、録画予約設定時に予約情報として格納されたタイトルとは別のタイトルを学習する学習処理を行い、学習した新たなタイトルを予約情報格納部１０６内の予約情報に追加する。
【００５５】
図５に示すように本実施形態による番組同定装置は、学習対象番組情報格納部１０９と、番組学習部１１０とを追加した点が、図１に示した第１の実施形態の構成とは異なる。なお、それ以外の構成要素については図１と同様であるため、同一の符号を付し、詳細な説明を省略する。
【００５６】
番組同定部１０８は、録画対象の番組をタイトルを利用して同定処理を行う前段で、ＥＰＧデータから検索対象番組の絞込みを行った場合に（図３のステップ３０１参照）、その時点のＥＰＧデータに含まれている番組のそれぞれのタイトル、番組ＩＤを学習対象番組情報格納部１０９に格納する。
【００５７】
番組学習部１１０は、録画対象の番組を表すタイトルとして、録画予約設定時に予約情報として予約情報格納部１０６内に格納されたタイトルとは別のタイトルを学習し、学習したタイトルを予約情報格納部１０６内の予約情報に追加する。
【００５８】
以下、図５に示した番組同定装置による番組同定方法について説明する。
【００５９】
本実施形態では、録画対象の番組の番組ＩＤがわかっている場合には、下記（３）の処理により、録画対象の番組ＩＤを利用して録画対象の番組を同定し、その後に録画対象の番組の別のタイトルを学習する。一方、録画対象の番組の番組ＩＤがわからない場合には、下記（４）の処理により、録画対象の番組のタイトルを利用して番組を同定し、その後に録画対象の番組の別のタイトルを学習する。なお、下記（４）の処理により、録画対象の番組を同定することができた場合には、その番組のＩＤをＥＰＧデータから取得することができるため、以降は、下記（３）の処理により同定処理および学習処理を行う。また、録画対象の番組の番組ＩＤがわかっている場合またはわからない場合の例としては、第１の実施形態で説明したものと同様の例が挙げられる。
（３）最初に、録画対象の番組の番組ＩＤがわかっている場合の処理について、図６を参照して説明する。ここでの前提条件として、予約情報格納部１０６には、録画予約設定時に録画予約部１０５によりＥＰＧデータ格納部１０３内のＥＰＧデータから取得された予約情報が格納されているものとする。また、ここでの番組ＩＤは、録画予約設定時にＥＰＧデータから取得した予約情報に含まれていた番組ＩＤ、または、番組学習部１１０が下記（４）の処理により取得した番組ＩＤであるものとする。
【００６０】
図６を参照すると、番組同定部１０８は、ＥＰＧデータ格納部１０３内のＥＰＧデータが最新データに更新されると、予約情報格納部１０６内の予約情報に含まれる録画対象の番組の番組ＩＤの情報に基づいて、最新のＥＰＧデータの中から、録画対象の番組と番組ＩＤが一致する番組を検索し、検索した番組を録画対象の番組として同定する（ステップ６０１）。
【００６１】
その後、番組同定部１０８は、ステップ６０１で同定された番組のタイトル、ジャンル、放送日（曜日）、放送時間帯、放送局、番組ＩＤ等の情報を録画予約部１０５に通知し、その番組を録画するよう予約内容の修正を指示する（ステップ６０２）。
【００６２】
ここまでの同定処理の手順は、第１の実施形態における図２のステップ２０１，２０２の手順と同様である。
【００６３】
その一方、番組学習部１１０は、ステップ６０１で同定された番組のタイトルが、予約情報格納部１０６内の録画対象の番組の予約情報にタイトルとして含まれているかを確認する。そして、含まれていない場合は、予約情報格納部１０６内の予約情報に、ステップ６０１で同定された番組のタイトルを追加する（ステップ６０３）。
【００６４】
ここで、図６の処理について、具体例を挙げて図７を参照して説明する。ここでは、録画対象の番組についての録画予約設定時には、番組ＩＤが「１２３４」、放送局が「Ｘ放送局」、放送日（曜日）が「日曜日」、放送時間帯が「２０：００〜２０：４５」、ジャンルが「趣味」、タイトルが「趣味Ａ」として予約設定がなされ、これらの予約情報が予約情報格納部１０６に格納されているものとする。
【００６５】
図７を参照すると、まず、番組同定部１０８は、８／５（火）にＥＰＧデータが最新データに更新されると、最新のＥＰＧデータの中から、番組ＩＤ「１２３４」が一致する番組として、放送局が「Ｘ放送局」、放送日（曜日）が「日曜日」、放送時間帯が「２０：００〜２１：００」、タイトルが「ｓｈｕｍｉＡ」である番組を録画対象の番組として同定する。
【００６６】
次に、番組同定部１０８は、録画対象の番組の予約内容を、放送局が「Ｘ放送局」、放送日（曜日）が「日曜日」、放送時間帯が「２０：００〜２１：００」に修正するよう録画予約部１０５に指示する。
【００６７】
その一方、番組学習部１１０は、最新のＥＰＧデータの中から同定した番組のタイトル「ｓｈｕｍｉＡ」が、予約情報格納部１０６内の録画対象の番組の予約情報にタイトルとして含まれているかを確認する。そして、含まれていない場合は、録画対象の番組の予約情報にタイトル「ｓｈｕｍｉＡ」を追加する。それにより、以降、録画対象の番組を「ｓｈｕｍｉＡ」というタイトルを利用して同定することもできるようになる。
【００６８】
また、番組学習部１１０は、８／６（水）にＥＰＧデータが最新データに更新されると、最新のＥＰＧデータの中からタイトルが「シュミＡ」である番組を同定する。さらに、同定した番組のタイトル「シュミＡ」が録画対象の番組の予約情報に含まれていないことから、録画対象の番組の予約情報にタイトル「シュミＡ」を追加する。それにより、以降、録画対象の番組を「シュミＡ」というタイトルを利用して同定することもできるようになる。
（４）次に、録画対象の番組の番組ＩＤがわからない場合の処理について、図８を参照して説明する。ここでの前提条件として、予約情報格納部１０６には、録画予約設定時に録画予約部１０５によりＥＰＧデータ格納部１０３内のＥＰＧデータから取得された予約情報が格納されているものとする。ただし、ここでは、録画予約設定時にＥＰＧデータから取得した予約情報に含まれていた番組ＩＤが削除されたか、あるいは、予約情報に番組ＩＤが含まれていたとしても、その番組ＩＤに合致する番組はＥＰＧデータに含まれていないものとする。
【００６９】
図８を参照すると、番組同定部１０８は、ＥＰＧデータ格納部１０３内のＥＰＧデータが最新データに更新されると、予約情報格納部１０６内の予約情報に含まれる録画対象の番組の放送局、放送日（曜日）、ジャンル、放送時間帯の情報に基づいて、最新のＥＰＧデータの中から、録画対象の番組と放送局、放送日（曜日）、ジャンルが一致し、かつ録画対象の番組に放送時間帯が近い番組を検索対象に絞り込む（ステップ８０１）。これにより、次に行われる録画対象の番組の同定処理において、タイトルが類似する別の番組が誤検索されてしまう可能性が低減される。
【００７０】
次に、番組同定部１０８は、ステップ８０１で絞り込まれた検索対象番組の中から、タイトルの類似度が最も高い番組を検索し、検索した番組を録画対象の番組として同定する（ステップ８０２）。
【００７１】
次に、番組同定部１０８は、ステップ８０２で同定された番組のタイトル、ジャンル、放送日（曜日）、放送時間帯、放送局、番組ＩＤ等の情報を録画予約部１０５に通知し、その番組を録画するよう予約内容の修正を指示する（ステップ８０３）。
【００７２】
なお、番組同定部１０８は、ステップ８０２で同定された番組のタイトルと録画対象の番組のタイトルとの類似度が予め設定された閾値以上でない場合、予約内容の修正を指示しないこととしても良い。
【００７３】
ここまでの同定処理の手順は、第１の実施形態における図３のステップ３０１〜３０３の手順と同様である。
【００７４】
その一方、番組同定部１０８は、ステップ８０１でＥＰＧデータの中から検索対象番組が絞り込まれた際に、ステップ８０１時点のＥＰＧデータに含まれていた番組のそれぞれのタイトル、番組ＩＤの情報を、学習対象番組情報格納部１０９に格納する（ステップ８０４）。
【００７５】
次に、番組学習部１１０は、ステップ８０２で同定された番組のタイトルと録画対象の番組のタイトルとの類似度が予め設定された閾値以上である場合に限り、ステップ８０４でタイトル、番組ＩＤが学習対象番組情報格納部１０９に格納された番組の中から、ステップ８０２で同定された番組と番組ＩＤが一致する番組を検索する（ステップ８０５）。
【００７６】
その後、番組学習部１１０は、ステップ８０２で同定された番組の番組ＩＤおよびステップ８０５で検索された番組のタイトルを、予約情報格納部１０６内の録画対象の番組の予約情報に追加する（ステップ８０６）。
【００７７】
ここで、図８の処理について、具体例を挙げて図９を参照して説明する。ここでは、録画対象の番組についての録画予約設定時には、放送局が「Ｘ放送局」、放送日（曜日）が「日曜日」、放送時間帯が「２０：００〜２０：４５」、ジャンルが「趣味」、タイトルが「趣味Ａ」として予約設定がなされ、これらの予約情報が予約情報格納部１０６に格納されているものとする。
【００７８】
図９を参照すると、まず、番組同定部１０８は、８／５（火）にＥＰＧデータが最新データに更新されると、最新のＥＰＧデータの中から、放送局「Ｘ放送局」、放送日（曜日）「日曜日」、ジャンル「趣味」が一致し、かつ放送時間帯が「２０：００〜２０：４５」に近い番組として、タイトルが「しゅみＣ」、番組ＩＤが「０１２３」である番組、タイトルが「ｓｈｕｍｉＡ」、番組ＩＤが「１２３４」である番組、タイトルが「シュミＢ」、番組ＩＤが「２３４５」である番組の計３つの番組を検索対象に絞り込む。さらに、番組同定部１０８は、ＥＰＧデータの中から検索対象番組が絞り込まれた際に、その時点のＥＰＧデータに含まれていた番組のそれぞれのタイトル、番組ＩＤの情報を、学習対象番組情報格納部１０９に格納する。
【００７９】
次に、番組同定部１０８は、上記３つの番組の中から、録画予約設定時のタイトル「趣味Ａ」の類似度が最も高い番組として、タイトルが「ｓｈｕｍｉＡ」、番組ＩＤが「１２３４」である番組を録画対象の番組として同定し、同定された番組を録画するよう予約内容の修正を録画予約部１０５に指示する。ただし、ここでは、同定された番組のタイトル「ｓｈｕｍｉＡ」の類似度が予め設定した閾値以上ではないものとする。
【００８０】
また、番組同定部１０８は、８／６（水）にＥＰＧデータが最新データに更新されると、最新のＥＰＧデータの中から、タイトルが「ｓｈｕｍｉＣ」、番組ＩＤが「０１２３」である番組、タイトルが「シュミＡ」、番組ＩＤが「１２３４」である番組、タイトルが「しゅみＢ」、番組ＩＤが「２３４５」である番組の計３つの番組を検索対象に絞り込み、その時点のＥＰＧデータに含まれていた番組のそれぞれのタイトル、番組ＩＤの情報を、学習対象番組情報格納部１０９に格納する。そして、番組同定部１０８は、タイトルが「シュミＡ」、番組ＩＤが「１２３４」である番組を録画対象の番組として同定し、同定された番組を録画するよう予約内容の修正を録画予約部１０５に指示する。ただし、ここでも、同定された番組のタイトル「シュミＡ」の類似度が予め設定した閾値以上ではないものとする。
【００８１】
さらに、番組同定部１０８は、８／７（木）にＥＰＧデータが最新データに更新されると、最新のＥＰＧデータの中から、タイトルが「シュミＣ」、番組ＩＤが「０１２３」である番組、タイトルが「趣味Ａ」、番組ＩＤが「１２３４」である番組、タイトルが「ｓｈｕｍｉＢ」、番組ＩＤが「２３４５」である番組の計３つの番組を検索対象に絞り込み、その時点のＥＰＧデータに含まれていた番組のそれぞれのタイトル、番組ＩＤの情報を、学習対象番組情報格納部１０９に格納する。そして、番組同定部１０８は、タイトルが「趣味Ａ」、番組ＩＤが「１２３４」である番組を録画対象の番組として同定し、同定された番組を録画するよう予約内容の修正を録画予約部１０５に指示する。ここでは、同定されたタイトル「趣味Ａ」の類似度が予め設定した閾値以上であるものとする。
【００８２】
次に、番組学習部１１０は、学習対象番組情報格納部１０９内にタイトル、番組ＩＤが格納されている６つの番組の中から、タイトルの類似度が閾値以上である番組の番組ＩＤ「１２３４」が一致する番組として、タイトルがそれぞれ「ｓｈｕｍｉＡ」「シュミＡ」である２つの番組を検索する。
【００８３】
その後、番組学習部１１０は、予約情報格納部１０６内の録画対象の番組の予約情報に、番組ＩＤ「１２３４」を追加するとともに、「ｓｈｕｍｉＡ」「シュミＡ」というタイトルを追加する。それにより、以降、録画対象の番組を番組ＩＤ「１２３４」を利用して同定することができるようになるとともに、録画対象の番組を「ｓｈｕｍｉＡ」「シュミＡ」というタイトルを利用して同定することもできるようになる。
【００８４】
なお、上述の第１および第２の実施形態においては、ＥＰＧデータの中から、録画予約された録画対象の番組を同定することとしているが、本発明は、視聴予約等された所望の番組を同定するものであればいかなる構成にも適用可能である。
【００８５】
また、上述の第１および第２の実施形態においては、チュ−ナ１０１が、番組やＥＰＧデータを放送波から受信することとしているが、本発明は、インターネットやケーブルテレビなど放送波とは異なる通信メディアを介して番組やＥＰＧデータを受信する構成にも適用可能である。
【００８６】
また、上述の第１および第２の実施形態においては、録画対象の番組を録画する前に上述の動作を行うことを想定しているが、本発明は、録画対象の番組の録画中であっても対応可能である。例えば、録画対象の番組の録画中にＥＰＧデータが最新データに更新され、最新のＥＰＧデータの中から同定した録画対象の番組の放送時間帯に変更があった場合、これに合わせて番組録画部１０７に設定されている予約内容を修正することができる。
【００８７】
なお、本発明においては、番組同定装置内の処理は上述の専用のハードウェアにより実現されるもの以外に、その機能を実現するためのプログラムを番組同定装置にて読取可能な記録媒体に記録し、この記録媒体に記録されたプログラムを番組同定装置に読み込ませ、実行するものであっても良い。番組同定装置にて読取可能な記録媒体とは、フロッピーディスク、光磁気ディスク、ＤＶＤ、ＣＤ、ブルーレイディスクなどの移設可能な記録媒体の他、番組同定装置に内蔵されたＨＤＤなどを指す。
【図面の簡単な説明】
【００８８】
【図１】本発明の第１の実施形態による番組同定装置のブロック図である。
【図２】図１に示した番組同定装置による番組同定方法において、録画対象の番組の番組ＩＤがわかっている場合の流れを説明する図である。
【図３】図１に示した番組同定装置による番組同定方法において、録画対象の番組の番組ＩＤがわからない場合の流れを説明する図である。
【図４】図３に示した番組同定方法を具体例を挙げて説明する図である。
【図５】本発明の第２の実施形態による番組同定装置のブロック図である。
【図６】図５に示した番組同定装置による番組同定方法において、録画対象の番組の番組ＩＤがわかっている場合の流れを説明する図である。
【図７】図６に示した番組同定方法を具体例を挙げて説明する図である。
【図８】図５に示した番組同定装置による番組同定方法において、録画対象の番組の番組ＩＤがわからない場合の流れを説明する図である。
【図９】図８に示した番組同定方法を具体例を挙げて説明する図である。
【符号の説明】
【００８９】
１０１    チューナ
１０２    ＥＰＧデータ取得部
１０３    ＥＰＧデータ格納部
１０４    操作部
１０５    録画予約部
１０６    予約情報格納部
１０７    番組録画部
１０８    番組同定部
１０９    学習対象番組情報格納部
１１０    番組学習部
【図１】
2005102059.tif 000003
【図２】
2005102059.tif 000004
【図３】
2005102059.tif 000005
【図４】
2005102059.tif 000006
【図５】
2005102059.tif 000007
【図６】
2005102059.tif 000008
【図７】
2005102059.tif 000009
【図８】
2005102059.tif 000010
【図９】
2005102059.tif 000011